(57)【要約】【課題】手軽にユーザ登録の申請を行うことができる。【解決手段】レーザプリンタ３０は、携帯電話４０から機器情報の送信要求を受信したあと、携帯電話４０へユーザ登録担当者か否かの回答を要求する（Ｓ１１０）。携帯電話４０の使用者は自分がユーザ登録担当者である旨を入力キー４６を操作して入力し、レーザプリンタ３０へ送信する（Ｓ１３０）。これを受信したレーザプリンタ３０は、機器情報（商品名とシリアル番号等）とユーザ登録先（管理サーバ１０の電子メールアドレス）を携帯電話４０へ送信する（Ｓ１４０）。これを受信した携帯電話４０は、個人情報（自局番号と電子メールアドレス）と今回受信した機器情報とを管理サーバ１０の電子メールアドレス宛てに自動送信する（Ｓ１５０）。これを受信した管理サーバ１０は、その機器情報と個人情報とを対応付けてユーザ登録用データベースに登録する。【選択図】  図５
2004259191.tif 000002
【特許請求の範囲】
【請求項１】
携帯用端末を利用してユーザ登録対象機器のユーザ登録を申請するユーザ登録申請システムであって、
前記ユーザ登録対象機器は、前記携帯用端末からの要求に応じて又は自発的にユーザ登録先及びユーザ登録に必要な機器情報を前記携帯用端末へ送信し、
前記携帯用端末は、前記ユーザ登録対象機器から受信した前記機器情報及び該携帯用端末の使用者の個人情報を記憶する内部メモリから読み出した個人情報を前記ユーザ登録先へネットワークを介して送信する
ユーザ登録申請システム。
【請求項２】
前記ユーザ登録対象機器は、前記携帯用端末へ自機のユーザ登録管理者か否かの回答を要求し前記携帯用端末から自機のユーザ登録管理者である旨の回答を受信することを条件に、前記ユーザ登録先及び前記機器情報を前記携帯用端末へ送信する
請求項１に記載のユーザ登録申請システム。
【請求項３】
前記ユーザ登録対象機器は、周囲の携帯用端末へ自機のユーザ登録の申請を依頼したい旨を送信し前記周囲の携帯用端末から自機の登録申請の依頼を引き受ける旨の回答を受信することを条件に、前記ユーザ登録先及び前記機器情報を前記携帯用端末へ送信する
請求項１又は２に記載のユーザ登録申請システム。
【請求項４】
前記ユーザ登録対象機器は、自機のセッティングが終了したことを条件に、前記ユーザ登録先及び前記機器情報を前記携帯用端末へ送信する
請求項１〜３のいずれかに記載のユーザ登録申請システム。
【請求項５】
前記ユーザ登録対象機器は、自機の位置情報を検出し該位置情報に基づいて割り出した住所を自機の設置場所として前記機器情報に含めて前記携帯用端末へ送信する
請求項１〜４のいずれかに記載のユーザ登録申請システム。
【請求項６】
前記携帯用端末は、携帯電話であり、前記個人情報には、該携帯電話の自局番号が含まれる
請求項１〜５のいずれかに記載のユーザ登録申請システム。
【請求項７】
前記携帯用端末は、携帯電話会社から個人情報を入手するのを許可する旨も併せて前記ユーザ登録先へ送信する
請求項６に記載のユーザ登録申請システム。
【請求項８】
前記携帯用端末は、電子メールが可能な端末であり、前記個人情報には、電子メールアドレスが含まれる
請求項１〜７のいずれかに記載のユーザ登録申請システム。
【請求項９】
前記携帯用端末は、前記機器情報及び前記個人情報を前記ユーザ登録先へ送信する前に前記個人情報の加筆修正が可能である
請求項１〜８のいずれかに記載のユーザ登録申請システム。
【請求項１０】
前記携帯用端末は、前記機器情報及び前記個人情報を前記ユーザ登録先へ送信したあと前記ユーザ登録先から前記個人情報の確認メッセージを受信する
請求項１〜９のいずれかに記載のユーザ登録申請システム。
【請求項１１】
前記携帯用端末は、前記確認メッセージを受信したあと前記個人情報を加筆修正して再送信することが可能である
請求項１０に記載のユーザ登録申請システム。
【請求項１２】
請求項１〜１１のいずれかに記載のユーザ登録申請システムに用いられるユーザ登録対象機器。
【請求項１３】
請求項１〜１１のいずれかに記載のユーザ登録申請システムに用いられる携帯用端末。
【請求項１４】
携帯用端末を利用してユーザ登録対象機器のユーザ登録を申請するユーザ登録申請方法であって、
（ａ）前記ユーザ登録対象機器に内蔵されたコンピュータが、前記携帯用端末からの要求に応じて又は自発的にユーザ登録先及びユーザ登録に必要な機器情報を前記携帯用端末へ送信するステップと、
（ｂ）前記携帯用端末に内蔵されたコンピュータが、前記ユーザ登録対象機器から受信した前記機器情報と該携帯用端末の使用者の個人情報を記憶する内部メモリから読み出した個人情報とを前記ユーザ登録先へネットワークを介して送信するステップと
を含むユーザ登録申請方法。
【発明の詳細な説明】
【０００１】
【発明の属する技術分野】
本発明は、ユーザ登録申請システム、ユーザ登録対象機器、携帯用端末及びユーザ登録申請方法に関する。
【０００２】
【従来の技術及び発明が解決しようとする課題】
従来より、事務機器等の購入者に対して、その機器の製造者又は販売者はユーザ登録の申請を行うように勧めている。通常、ユーザ登録は、製造者又は販売者のデータベースコンピュータに、機器の商品名やその商品に固有のシリアル番号等を含む機器情報とその機器の購入者の住所や連絡先等を含む個人情報とを対応付けて登録することにより行われる。このようなユーザ登録が行われた機器については、その後、バージョンアップ情報やリコール情報、新作情報等を連絡する必要が生じた場合、データベースコンピュータを検索することにより購入者の連絡先を容易に把握できるため、容易に購入者へ連絡することができる。
【０００３】
しかしながら、ユーザ登録を申請するのは購入者自身であるため、現状ではユーザ登録の申請のために機器情報や個人情報を入力する操作を購入者が煩わしく思い申請しないケースが多々見受けられる。このようにユーザ登録がなされていない機器については、その後、バージョンアップ情報やリコール情報、新作情報等を連絡する必要が生じた場合に、購入者の連絡先が不明なため容易に連絡することができないという問題が生じる。このような問題は、手軽にユーザ登録の申請ができるようになれば解消されると考えられる。
【０００４】
なお、特許文献１には、作業が煩わしいプリンタドライバの設定を行うにあたって、プリンタが近距離通信を用いて携帯用端末へデバイス情報を送信し、そのデバイス情報を受信した携帯用端末がプリンタに接続されたコンピュータの近傍に移動されたあと近距離通信を用いてそのコンピュータにデバイス情報を送信し、デバイス情報を受信したコンピュータがそのデバイス情報に基づいてプリンタドライバの設定を実行するというシステムが開示されている。しかし、この特許文献１には、ユーザ登録の申請については何ら開示されていない。
【０００５】
【特許文献１】
特開２００２−２６９０２２号公報
【０００６】
本発明は、上述した問題に鑑みなされたものであり、手軽にユーザ登録の申請を行うことができるユーザ登録申請システム、ユーザ登録対象機器、携帯用端末及びユーザ登録申請方法を提供することを目的の一つとする。また、ユーザの連絡先をもれなく把握できるユーザ登録申請システム、ユーザ登録対象機器、携帯用端末及びユーザ登録申請方法を提供することを目的の一つとする。
【０００７】
【課題を解決するための手段及びその作用・効果】
上述の目的の少なくとも一つを達成するため、本発明は以下の手段を採用した。
【０００８】
本発明の第１は、携帯用端末を利用してユーザ登録対象機器のユーザ登録を申請するユーザ登録申請システムであって、
前記ユーザ登録対象機器は、前記携帯用端末からの要求に応じて又は自発的にユーザ登録先及びユーザ登録に必要な機器情報を前記携帯用端末へ送信し、
前記携帯用端末は、前記ユーザ登録対象機器から受信した前記機器情報及び該携帯用端末の使用者の個人情報を記憶する内部メモリから読み出した個人情報を前記ユーザ登録先へネットワークを介して送信するものである。
【０００９】
このユーザ登録申請システムでは、ユーザ登録対象機器がユーザ登録先及びユーザ登録に必要な機器情報を携帯用端末へ送信し、これを受信した携帯用端末が機器情報と自己の内部メモリから読み出した個人情報とをユーザ登録先へネットワークを介して送信することにより、携帯用端末がユーザ登録対象機器のユーザ登録を申請する。このように、ユーザ登録対象機器のユーザ登録を申請するにあたり、ユーザ登録対象機器の機器情報や自分の個人情報やユーザ登録先を入力する手間がかからないため、ユーザは手軽にユーザ登録の申請を行うことができ、ひいてはユーザ登録率が向上する。
【００１０】
本発明のユーザ登録申請システムにおいて、前記ユーザ登録対象機器は、前記携帯用端末へ自機のユーザ登録管理者か否かの回答を要求し前記携帯用端末から自機のユーザ登録管理者である旨の回答を受信することを条件に、前記ユーザ登録先及び前記機器情報を前記携帯用端末へ送信するようにしてもよい。こうすれば、ユーザ登録管理者でない者の携帯用端末へ誤ってユーザ登録先や機器情報を送ってしまうおそれがない。
【００１１】
本発明のユーザ登録申請システムにおいて、前記ユーザ登録対象機器は、周囲の携帯用端末へ自機のユーザ登録の申請を依頼したい旨を送信し前記周囲の携帯用端末から自機の登録申請の依頼を引き受ける旨の回答を受信することを条件に、前記ユーザ登録先及び前記機器情報を前記携帯用端末へ送信するようにしてもよい。こうすれば、ユーザ登録対象機器は能動的に携帯用端末へユーザ登録の申請を依頼するため、ユーザ登録の申請が可能な携帯用端末を早期にサーチすることができ、ひいては早期にユーザ登録の申請がなされることになる。
【００１２】
本発明のユーザ登録申請システムにおいて、前記ユーザ登録対象機器は、自機のセッティングが終了したことを条件に、前記ユーザ登録先及び前記機器情報を前記携帯用端末へ送信するようにしてもよい。セッティングが終了した時点ではユーザが確定していることが多いため、ユーザ登録の時期に相応しい。
【００１３】
本発明のユーザ登録申請システムにおいて、前記ユーザ登録対象機器は、自機の位置情報を検出し該位置情報に基づいて割り出した住所を自機の設置場所として前記機器情報に含めて前記携帯用端末へ送信するようにしてもよい。こうすれば、ユーザ登録先ではユーザ登録対象機器の設置場所を把握できるため、例えば訪問修理や引取りの必要が生じた場合等に便利である。
【００１４】
本発明のユーザ登録申請システムにおいて、前記携帯用端末は、携帯電話であり、前記個人情報には、該携帯電話の自局番号が含まれるようにしてもよい。携帯電話には予め自局番号が入力されているため、ユーザ登録先としてはユーザの連絡先として自局番号をもれなく把握でき、後日その自局番号に電話をかければそのユーザ登録対象機器に関する情報を伝達することが可能となる。
【００１５】
本発明のユーザ登録申請システムにおいて、前記携帯用端末は、携帯電話会社から個人情報を入手するのを許可する旨も併せて前記ユーザ登録先へ送信するようにしてもよい。携帯電話会社には契約時に住所、氏名等の個人情報が保存されているため、その個人情報を流用することで個人情報の入力の手間を大幅に省くことができる。
【００１６】
本発明のユーザ登録申請システムにおいて、前記携帯用端末は、電子メールが可能な端末であり、前記個人情報には、電子メールアドレスが含まれるようにしてもよい。こうすれば、後日、ユーザ登録先からその電子メールアドレスにメールを送信すればそのユーザ登録対象機器に関する情報を伝達することが可能となる。
【００１７】
本発明のユーザ登録申請システムにおいて、前記携帯用端末は、前記機器情報及び前記個人情報を前記ユーザ登録先へ送信する前に前記個人情報の加筆修正が可能であってもよい。こうすれば、ユーザ登録先へ送信する前に個人情報に足りない部分や間違った部分があったときには加筆修正することができる。
【００１８】
本発明のユーザ登録申請システムにおいて、前記携帯用端末は、前記機器情報及び前記個人情報を前記ユーザ登録先へ送信したあと前記ユーザ登録先から前記個人情報の確認メッセージを受信するようにしてもよい。こうすれば、ユーザ登録先へ送信した個人情報の内容を確認することができる。
【００１９】
本発明のユーザ登録申請システムにおいて、前記携帯用端末は、前記確認メッセージを受信したあと前記個人情報の加筆修正して再送信することが可能であってもよい。こうすれば、ユーザ登録先へ送信した個人情報に足りない部分や間違った部分があったときには加筆修正することができる。
【００２０】
本発明の第２は、上述したユーザ登録申請システムに用いられるユーザ登録対象機器であり、本発明の第３は、上述したユーザ登録申請システムに用いられる携帯用端末である。これらのユーザ登録対象機器や携帯用端末を上述したユーザ登録申請システムに利用すれば、上述したユーザ登録申請システムと同様の効果が得られる。
【００２１】
本発明の第４は、携帯用端末を利用してユーザ登録対象機器のユーザ登録を申請するユーザ登録申請方法であって、
（ａ）前記ユーザ登録対象機器に内蔵されたコンピュータが、前記携帯用端末からの要求に応じて又は自発的にユーザ登録先及びユーザ登録に必要な機器情報を前記携帯用端末へ送信するステップと、
（ｂ）前記携帯用端末に内蔵されたコンピュータが、前記ユーザ登録対象機器から受信した前記機器情報と該携帯用端末の使用者の個人情報を記憶する内部メモリから読み出した個人情報とを前記ユーザ登録先へネットワークを介して送信するステップと
を含むものである。
【００２２】
このユーザ登録申請方法では、ユーザ登録対象機器がユーザ登録先及びユーザ登録に必要な機器情報を携帯用端末へ送信し、これを受信した携帯用端末が機器情報と自己の内部メモリから読み出した個人情報とをユーザ登録先へネットワークを介して送信することにより、携帯用端末がユーザ登録対象機器のユーザ登録を申請する。このように、ユーザ登録対象機器のユーザ登録を申請するにあたり、ユーザ登録対象機器の機器情報や自分の個人情報やユーザ登録先を入力する手間がかからないため、ユーザは手軽にユーザ登録の申請を行うことができ、ひいてはユーザ登録率が向上する。
【００２３】
【発明の実施の形態】
次に、本発明の実施の形態を図面に基づいて説明する。図１は本発明の一実施形態であるユーザ登録システムの概略構成を表すブロック図である。本実施形態のユーザ登録システムは、ユーザ登録先に設置された管理サーバ１０と、ユーザ登録対象機器であるレーザプリンタ３０と、携帯用端末である携帯電話４０とにより構成されている。
【００２４】
管理サーバ１０は、ネットワークインタフェース１２と、ハードディスクドライブ（ＨＤＤ）１４と、電子制御ユニット１８とを備えている。このうちネットワークインタフェース１２は、インターネット２０を介して携帯電話４０等と通信するためのインタフェースである。ＨＤＤ１４は、大容量メモリであり、ユーザ登録用データベースのほか、各種アプリケーションプログラム等を記憶する。ここで、ユーザ登録用データベースは、図３に示すように、商品名やその商品に付された固有のシリアル番号等を含む機器情報と、商品を購入したユーザの住所、氏名、携帯電話番号、電子メールアドレス等を含む個人情報とを対応付けて登録したものである。電子制御ユニット１８は、周知のＣＰＵ、ＲＯＭ、ＲＡＭ等で構成され、ＨＤＤ１４に格納されているアプリケーションプログラムを実行したりネットワークインタフェース１２で受信したユーザ登録の申請に関する情報をＨＤＤ１４のユーザ登録用データベースに登録したりする。
【００２５】
レーザプリンタ３０は、ネットワークインタフェース３１と、ローカルインタフェース３２と、記憶部３３と、操作パネル３４と、コントローラ３５と、出力データ送信部３６と、プリントエンジン３７とを備えている。このうちネットワークインタフェース３１は、ネットワークを介して他の機器と通信するためのインタフェースであるが、ここではネットワーク接続されていないものとする。ローカルインタフェース３２は、通信可能距離が１０ｍ程度の近距離の無線通信方式のインタフェースであり、ここではブルートゥースのインタフェースである。記憶部３３は、ハードディスクドライブやメモリから構成され、図４（ａ）に示すように、レーザプリンタ３０の商品名やプリンタ毎に付与された固有のシリアル番号等を含む機器情報を記憶したり、レーザプリンタ３０のユーザ登録先の電子メールアドレスを記憶したりする。また、記憶部３３は、ケーブルで接続されたコンピュータ５０から受信した印刷ジョブも記憶する。操作パネル３４は、オペレータがレーザプリンタ３０に対して操作を指示するための操作部と、各種の表示を行う表示部とから構成される。コントローラ３５は、周知のＣＰＵ、ＲＯＭ、ＲＡＭ等で構成され、記憶部３３から機器情報を読み出してローカルインタフェース３２を介して携帯電話４０へ送信したり、コンピュータ５０から受信した印刷ジョブを記憶部３３に記憶したり、印刷ジョブに基づいて印刷用の出力データを生成したりする。出力データ送信部３６は、コントローラ３５からの出力データをプリントエンジン３７に送信する。プリントエンジン３７は、その出力データを受信して印刷用紙への印刷を行う。
【００２６】
携帯電話４０は、電話通信網を介して他の電話と音声通信を行ったりインターネット２０を介して電子メールの送受を行ったり同じくインターネット２０を介してウェブサーバが開設しているサイトにアクセスしたりする電話であり、図２に示すように、ネットワークインタフェース４１と、ローカルインタフェース４２と、記憶部４３と、ディスプレイ４４と、コントローラ４５と、入力キー４６と、マイク４７と、スピーカ４８とを備えている。ネットワークインタフェース４１は、インターネット２０を介して管理サーバ１０等と通信するためのインタフェースである。ローカルインタフェース４２は、前出のローカルインタフェース３２と同様、ブルートゥースのインタフェースである。記憶部４３は、図４（ｂ）に示すように、携帯電話４０の使用者の住所、氏名、自局番号、電子メールアドレス等を含む個人情報を記憶したり、レーザプリンタ３０から受信した機器情報を一時的に記憶したりする。なお、個人情報のうち使用者の住所、氏名については使用者が入力キー４６を操作して自ら入力することによりはじめて記憶されるが、自局番号と電子メールアドレスは携帯電話４０の購入時に既に記憶されている。ディスプレイ４４は、各種の表示を行うものである。コントローラ４５は、周知のＣＰＵ、ＲＯＭ、ＲＡＭ等で構成され、記憶部４３から個人情報や機器情報を読み出してネットワークインタフェース４１を介して管理サーバ１０へメール送信したり、レーザプリンタ３０からローカルインタフェース４２を介して受信した機器情報を記憶部４３へ一時記憶したりする。入力キー４６は、各種の入力及び操作の指示を行うために使用され、マイク４７は音声を入力するために使用され、スピーカ４８は音声を出力するために使用される。
【００２７】
次に、本実施形態のユーザ登録システムにおける各機器の動作について説明する。図５はユーザ登録システムにおける各機器の通信手順を表すシーケンスチャートである。まず、携帯電話４０は、ローカルインタフェース４２を介して周囲のブルートゥース対応機器へユーザ登録の申請を行うために必要となる機器情報を送信するよう要求する（ステップＳ１００）。ここでは、携帯電話４０は、レーザプリンタ３０とのブルートゥース通信圏内に入っているものとする。レーザプリンタ３０は、携帯電話４０からの要求信号をローカルインタフェース３２を介して受信すると、携帯電話４０へユーザ登録担当者か否かの回答を要求する（ステップＳ１１０）。ここでは、携帯電話４０の使用者はユーザ登録担当者であるものとし、この回答要求に対して自分がユーザ登録担当者である旨を入力キー４６を操作して入力し、ローカルインタフェース３２を介してレーザプリンタ３０へ送信する（ステップＳ１３０）。ここで、ユーザ担当者である旨の入力は、例えばディスプレイ４４に「あなたはユーザ登録担当者ですか？」の問いと共に「はい」「いいえ」の選択ボタンが表示され、入力キー４６を操作して「はい」を選択することにより行う。レーザプリンタ３０は、携帯電話４０からユーザ登録担当者である旨を受信したあと、記憶部３３から機器情報（商品名とシリアル番号等）とユーザ登録先（管理サーバ１０の電子メールアドレス）をローカルインタフェース３２を介して携帯電話４０へ送信する（ステップＳ１４０）。これを受信した携帯電話４０は、記憶部４３から個人情報を読み出し、その個人情報と今回受信した機器情報とを電子メールに添付して暗号化したあと、ネットワークインタフェース４１を介して管理サーバ１０の電子メールアドレス宛てに自動送信する（ステップＳ１５０）。ここで、個人情報には、少なくとも携帯電話４０の自局番号と電子メールアドレスが含まれる。管理サーバ１０は、ネットワークインタフェース１２を介して送信されてきたこの電子メールを受信し、添付されていた個人情報と機器情報を復号化したあと、ＨＤＤ１４のユーザ登録用データベースに登録する。この結果、管理サーバ１０のＨＤＤ１４には図３に示すように機器情報と個人情報とが対応付けられた形式で保存される。
【００２８】
ここで、本実施形態の構成要素と本発明の構成要素との対応関係を明らかにする。本実施形態のレーザプリンタ３０が本発明のユーザ登録対象機器に相当し、携帯電話４０が携帯用端末に相当し、レーザプリンタ３０と携帯電話４０とがユーザ登録申請システムに相当する。なお、本実施形態では、ユーザ登録システムの動作を説明することにより本発明のユーザ登録申請方法の一例も明らかにしている。
【００２９】
以上詳述した本実施形態によれば、レーザプリンタ３０がユーザ登録先及び機器情報を携帯電話４０へ近距離通信手段であるブルートゥースを介して送信し、これを受信した携帯電話４０が機器情報と記憶部４３から読み出した個人情報とをユーザ登録先である管理サーバ１０へインターネット２０を介してメール送信することにより、携帯電話４０がレーザプリンタ３０のユーザ登録を申請する。このように、ユーザ登録担当者は、レーザプリンタ３０のユーザ登録を申請するにあたり、レーザプリンタ３０の機器情報や自分の個人情報やユーザ登録先を入力する手間がかからないため、手軽にユーザ登録の申請を行うことができ、ひいてはユーザ登録率が向上する。
【００３０】
また、レーザプリンタ３０は、携帯電話４０へそのレーザプリンタ３０のユーザ登録管理者か否かの回答を要求し携帯電話４０からユーザ登録管理者である旨の回答を受信することを条件に、ユーザ登録先及び機器情報を携帯電話４０へ送信するため、ユーザ登録管理者でない者へ誤ってユーザ登録先や機器情報を送ってしまうことがなく、ユーザ登録管理者でない者がユーザ登録の申請をしてしまうおそれがない。
【００３１】
更に、携帯電話４０の記憶部４３には予め自局番号が記憶されており、この自局番号が個人情報に含まれているため、管理サーバ１０側としてはユーザの連絡先として携帯電話４０の自局番号をもれなく把握でき、後日その自局番号に電話をかければそのレーザプリンタ３０に関する情報を伝達することが可能となる。更にまた、携帯電話４０の電子メールアドレスも個人情報に含まれているため、管理サーバ１０側としては、後日その電子メールアドレスにメールを送信すればそのユーザ登録対象機器に関する情報を伝達することが可能となる。
【００３２】
なお、本発明は上述した実施形態に何ら限定されるものではなく、本発明の技術的範囲に属する限り種々の態様で実施できることはいうまでもない。
【００３３】
例えば、上述した実施形態では、ユーザ登録対象機器としてレーザプリンタ３０、携帯用端末として携帯電話４０、ネットワークとしてインターネット２０を例に挙げて説明したが、ユーザ登録対象機器としてはユーザ登録の対象となっている機器であれば特に限定されるものでなく、例えばパソコン、コピー機、スキャナなどの事務機器のほか電化製品や産業用機器などでも構わない。また、携帯用端末としては携帯が可能な端末であれば特に限定されるものではなく、例えばＰＤＡ、ノートパソコン、電子手帳などでも構わない。また、ネットワークとしてインターネット２０を例に挙げて説明したが、通信可能なネットワークであれば特に限定されるものではなく、例えば電話回線網やイントラネット（ＬＡＮを含む）などでも構わない。さらにまた、ユーザ登録対象機器であるレーザプリンタ３０と携帯用端末である携帯電話４０との通信としてブルートゥースを例に挙げて説明したが、数ｍ〜数１０ｍ程度の近距離範囲内で通信可能な他の近距離通信手段（ＩＥＥＥ８０２．１１、ＨｏｍｅＲＦ、ＩｒＤＡなど）でもよいし、有線通信手段でもよい。
【００３４】
また、上述した実施形態では、ステップＳ１３０において携帯電話４０の使用者がユーザ登録管理者であると自己申告したが、自己申告する代わりに予め設定されたユーザ登録管理者用パスワードが入力されたときにレーザプリンタ３０がユーザ登録管理者であると判定してもよい。パスワードは、どのように設定されていてもよいが、例えば、レーザプリンタ３０の包装箱に同梱した書類に印字されたパスワードを用いたり、保証書に記載されたシリアル番号の一部をパスワードとしたりしてもよい。この場合、レーザプリンタ３０の記憶部３３には予めパスワードが記憶されており、そのパスワードと携帯電話４０から送信されてきたパスワードとが一致するか否かを判定する。
【００３５】
更に、上述した実施形態において、携帯電話４０がレーザプリンタ３０へ機器情報を送信するよう要求する前に、レーザプリンタ３０が周囲のブルートゥース対応機器へユーザ登録申請を依頼したい旨を能動的に送信し、それを受信したブルートゥース対応機器である携帯電話４０が機器情報を送信するようレーザプリンタ３０へ要求してもよい。このとき、携帯電話４０が機器情報を送信するようレーザプリンタ３０へ要求したことが、レーザプリンタ３０のユーザ登録申請の依頼を引き受けたことを意味する。これにより、レーザプリンタ３０はユーザ登録が可能な携帯電話４０を早期にサーチすることができるため、早期にユーザ登録の申請がなされることになる。
【００３６】
更にまた、上述した実施形態において、レーザプリンタ３０は、自機のセッティングが終了したことを条件に、ユーザ登録先及び機器情報を携帯電話４０へ送信するようにしてもよい。セッティングが終了した時点ではユーザが確定していることが多いため、ユーザ登録の申請時期として相応しい。セッティングが終了した時点としては、例えばデバイスドライバのインストール終了時であってもよいし、初回の電源投入時であってもよい。
【００３７】
そしてまた、上述した実施形態において、レーザプリンタ３０は、ＧＰＳを搭載すると共にＧＰＳから得られる位置情報に基づいて地図情報（例えば記憶部３３に記憶されている）から住所を割り出す機能を有していてもよく、セッティングが終了したあとのレーザプリンタ３０の位置情報から設置された住所（設置場所）を割り出しその住所を機器情報の一つとして記憶部３３に記憶してもよい。こうすれば、ユーザ登録先である管理サーバ１０はレーザプリンタ３０の設置場所を把握できるため、例えば訪問修理や引取りの必要が生じた場合等に便利である。
【００３８】
そして更に、上述した実施形態において、携帯電話４０は、携帯電話会社から個人情報を入手するのを許可する旨も併せて管理サーバ１０へ送信するようにしてもよい。携帯電話会社には契約時に住所、氏名等の個人情報が保存されているため、その個人情報を流用することで個人情報の入力の手間を大幅に省くことができる。
【００３９】
そして更にまた、上述した実施形態において、携帯電話４０のコントローラ４５は機器情報や個人情報を管理サーバ１０へ自動送信する前に、図６に示す加筆修正処理プログラムを記憶部４３から読み出してこれを実行してもよい。具体的には、携帯電話４０のコントローラ４５は、まず、使用者に対して機器情報と個人情報の内容を確認するよう促す確認メッセージと共にそのまま送信するのを許諾するときに選択する「ＯＫ」ボタンと個人情報を加筆修正するときに選択する「修正」ボタンとをディスプレイ４４に表示する（ステップＳ２１０）。続いて「ＯＫ」ボタンが選択されたか否かを判定し（ステップＳ２２０）、「ＯＫ」ボタンが選択されなかったときには「修正」ボタンが選択されたか否かを判定し（ステップＳ２３０）、「修正」ボタンが選択されなかったときには再びステップＳ２２０へ戻る。一方、ステップＳ２３０で「修正」ボタンが選択されたときには、使用者の入力キー４６の操作に応じて修正した内容と共に「修正完了」ボタンをディスプレイ４４に表示し（ステップＳ２４０）、続いて「修正完了」ボタンが選択されたか否かを判定し（ステップＳ２５０）、「修正完了」ボタンが選択されなかったときにはステップＳ２４０に戻る。一方、ステップＳ２５０で「修正完了」ボタンが選択されたときにはステップＳ２２０に戻り、このステップＳ２２０で「ＯＫ」ボタンが選択されたときにはその機器情報や個人情報を管理サーバ１０へメール送信し（ステップＳ２６０）、このプログラムを終了する。こうすれば、個人情報に加筆修正すべき点があれば入力キー４６を操作して加筆修正を行った後、その機器情報と個人情報を管理サーバ１０へ送信することができる。例えば、個人情報として、携帯電話４０の自局番号と携帯電話４０の電子メールアドレスしか入力されていなかった場合には、自分の住所、氏名を加筆してもよい。但し、管理サーバ１０は、携帯電話４０の自局番号か電子メールアドレスの少なくとも一方が入力されていれば、ユーザ登録用データベースに登録する。これは、少なくとも携帯電話４０の自局番号か電子メールアドレスが登録されていれば、後日、レーザプリンタ３０のバージョンアップ情報やリコール情報、新作情報等を連絡する必要が生じた場合に容易に連絡することができるからである。
【００４０】
これと類似するが、携帯電話４０は機器情報や個人情報を管理サーバ１０へ自動送信する前に確認メッセージが携帯電話４０に表示されるのに代えて又は加えて、自動送信後に管理サーバ１０から、個人情報と機器情報の内容を確認するよう促す確認メッセージを携帯電話４０にメール送信してもよい。これを受信した携帯電話４０は、図６の加筆修正処理プログラムを読み出して実行する。この場合も、個人情報に加筆修正すべき点があれば入力キー４６を操作して加筆修正を行った後、その機器情報と個人情報を管理サーバ１０へ再送信することができる。したがって、管理サーバ１０へ送信した機器情報や個人情報に間違いがあったときや内容が不十分だったときには加筆修正して補正することができる。
【図面の簡単な説明】
【図１】ユーザ登録システムの概略構成を表すブロック図。
【図２】携帯電話の概略構成を表すブロック図。
【図３】ユーザ登録用データベースの説明図。
【図４】レーザプリンタ及び携帯電話の記憶部の内容を表す説明図。
【図５】ユーザ登録システムの通信手順を示すシーケンスチャート。
【図６】加筆修正処理プログラムのフローチャート。
【符号の説明】
１０  管理サーバ、１２  ネットワークインタフェース、１４  ＨＤＤ、１８  電子制御ユニット、２０  インターネット、３０  レーザプリンタ、３１  ネットワークインタフェース、３２  ローカルインタフェース、３３  記憶部、３４操作パネル、３５  コントローラ、３６  出力データ送信部、３７  プリントエンジン、４０  携帯電話、４１  ネットワークインタフェース、４２  ローカルインタフェース、４３  記憶部、４４  ディスプレイ、４５  コントローラ、４６  入力キー、４７  マイク、４８  スピーカ、５０  コンピュータ。
【図１】
2004259191.tif 000003
【図２】
2004259191.tif 000004
【図３】
2004259191.tif 000005
【図４】
2004259191.tif 000006
【図５】
2004259191.tif 000007
【図６】
2004259191.tif 000008